(57)【要約】【課題】リム１１に対してレンズ１３を容易に着脱することが可能な作業用眼鏡を提供する。【解決手段】２つのリム１１の内周面に、内側の一部が切り欠き部とされた溝部１８を設ける。そして、ブリッジ１６に対して回動可能に設けられたストッパ部材１２を下方に回動させることにより、該ストッパ部材１２とリム１１の内側領域Ｐ４との干渉を回避させて、リム１１からレンズ１３を取り外す。更に、新たなレンズ１３を、この内側領域Ｐ４から挿入する。その後、ストッパ部材１２を上方に回転させ、ブリッジ１６に固定することにより、ストッパ部材１２が各リム１１の内側領域Ｐ４に干渉して、レンズ１３をリム１１内に堅固に固定することができる。【選択図】      図３
2011186207.tif 000002
【特許請求の範囲】
【請求項１】
２つのリム、及び前記各リムを接続するブリッジからなるフレーム本体を備えた作業用眼鏡において、
前記各リムの内周面には、該リムに装着するレンズを固定するための溝部が設けられ、且つ前記フレーム本体の中央側となる一部には切り欠き部が設けられ、
更に、前記ブリッジに対し、前記各リムを連結する方向を軸として回動可能に設けられ、前記切り欠き部にて前記溝部に装着されたレンズと干渉して該レンズを固定するストッパ部材を備えたことを特徴とする作業用眼鏡。
【請求項２】
前記切り欠き部は、前記フレーム本体の前面側が切り欠かれて形成されていることを特徴とする請求項１に記載の作業用眼鏡。
【請求項３】
前記各リムに形成された前記溝部の適所に段差部を形成し、且つ、前記各レンズの周囲部の前記段差部と係合する部位に欠切部を形成し、
前記溝部に前記レンズを装着した後、前記レンズの欠切部を前記溝部に形成された段差部と係合させて前記レンズを前記リムに固定することを特徴とする請求項１または請求項２のいずれかに記載の作業用眼鏡。
【請求項４】
前記ストッパ部材は、前記ブリッジに固定されるヒンジ部材により前記ブリッジに対して回動可能に取り付けられ、該ストッパ部材を前記ヒンジ部材により回動させることにより、前記レンズの固定、開放を切り替えることを特徴とする請求項１〜請求項３のいずれか１項に記載の作業用眼鏡。
【請求項５】
一方の前記リムの前面側下方域に形成された第１の突起と、他方の前記リムの前面側下方領域に形成された第２の突起と、前記ストッパ部材の前面に形成された第３の突起と、を更に備え、前記フレーム本体の前面側を下方に向けて平面上に置いた場合、前記第１〜第３の突起が前記平面に接触して安定することを特徴とする請求項１〜請求項４のいずれか１項に記載の作業用眼鏡。
【発明の詳細な説明】
【技術分野】
【０００１】
本発明は、フレームのリムに取り付けられる２枚のレンズを簡易な方法で交換可能とする作業用眼鏡に関する。
【背景技術】
【０００２】
例えば、作業現場で用いられる眼部保護用の眼鏡は、使用中にレンズが傷付いたり汚れたり、または損傷することがあり、そのまま使用すると見づらいといった不具合が生じるので、レンズ部分のみを簡易な方法で交換可能とすることが望まれている。このようなレンズの交換を容易とした眼鏡の従来例として、例えば特開２００２−２１４５６８号公報（特許文献１）に記載されたものが知られている。
【０００３】
図１１は、特許文献１に開示された眼鏡を示す説明図であり、リム１０１の内側域及び上下域の厚みを大きくし、この部分にレンズ１０３装着用の溝部１０２を形成している。そして、リム１０１の外側域（符号Ａで示す）側から溝部１０２に沿ってレンズ１０３を挿入することにより、リム１０１内にレンズを装着することができる。また、溝部１０２内に形成された係合突起１０４と、レンズ１０３に形成された切り欠き１０５が係合することにより、リム１０１に装着されたレンズ１０３の脱落を防止している。
【先行技術文献】
【特許文献】
【０００４】
【特許文献１】特開２００２−２１４５６８号公報
【発明の概要】
【発明が解決しようとする課題】
【０００５】
しかしながら、上述した特許文献１に開示された従来例は、リム１０１に形成された溝部１０２内に装着したレンズ１０３を、溝部１０２内に形成された係合突起１０４と、レンズ１０３に形成された切り欠き１０５との係合でのみ固定される構成であるので、リム１０１に対してレンズ１０３を堅固に固定するためには、溝部１０２とレンズ１０３との間に、ある程度の摩擦力が必要となる。
【０００６】
このため、レンズ１０３を溝部に装着する際には、ある程度強い力でレンズ１０３を押し付ける必要があり、レンズ１０３の着脱時に該レンズ１０３を傷つけたり、或いはリム１０１に無理な力を加えることにより該リム１０１が変形、損傷するという問題が発生していた。
【０００７】
本発明は、このような従来の課題を解決するためになされたものであり、その目的とするところは、簡易な方法でレンズの着脱を可能とし、且つレンズをリム内に堅固に固定することが可能な作業用眼鏡を提供することにある。
【課題を解決するための手段】
【０００８】
上記目的を達成するため、本願請求項１に記載の発明は、２つのリム、及び前記各リムを接続するブリッジからなるフレーム本体を備えた作業用眼鏡において、前記各リムの内周面には、該リムに装着するレンズを固定し、且つ前記フレーム本体の中央側となる一部に切り欠き部が形成された溝部が設けられ、更に、前記ブリッジに対し、前記各リムを連結する方向を軸として回動可能に設けられ、前記切り欠き部にて前記溝部に装着されたレンズと干渉して該レンズを固定するストッパ部材を備えたことを特徴とする。
【０００９】
請求項２に記載の発明は、前記溝部に形成された切り欠き部は、前記フレーム本体の前面側（作業者の顔面の反対側となる面）が切り欠かれていることを特徴とする。
【００１０】
請求項３に記載の発明は、前記各リムに形成された前記溝部の適所に段差部を形成し、且つ、前記各レンズの周囲部の前記段差部と係合する部位に欠切部を形成し、前記溝部に前記レンズを装着した後、前記レンズの欠切部を前記溝部に形成された段差部と係合させて前記レンズを前記リムに固定することを特徴とする。
【００１１】
請求項４に記載の発明は、前記ストッパ部材は、前記ブリッジに固定されるヒンジ部材により前記ブリッジに対して回動可能に取り付けられ、該ストッパ部材を前記ヒンジ部材により回動させることにより、前記レンズの固定、開放を切り替えることを特徴とする。
【００１２】
請求項５に記載の発明は、一方の前記リムの前面側下方域に形成された第１の突起と、他方の前記リムの前面側下方領域に形成された第２の突起と、前記ストッパ部材の前面に形成された第３の突起と、を更に備え、前記フレーム本体の前面側を下方に向けて平面上に置いた場合、前記第１〜第３の突起が前記平面に接触して安定することを特徴とする。
【発明の効果】
【００１３】
請求項１の発明では、各リム１１の内側（フレーム本体の中央側）に形成された切り欠き部から該リム内にレンズを挿入し、且つストッパ部材にてレンズを固定するので、リム内に装着されたレンズを堅固に固定することができる。この際、リムの内周面に形成された溝部とレンズとの間には大きな摩擦力は発生しないので、作業者は強い力を必要とせずに、レンズの着脱が可能となる。従って、レンズ装着時に該レンズを傷つけたり、或いはリムに無理な力を加えて変形、損傷するというトラブルの発生を軽減できる。また、レンズの一端を把持するだけでリム内に挿入できるので、新品レンズ（特にレンズの中央部）を手で汚すことなく挿入することができる。さらに、１つのストッパ部材により２枚のレンズを固定する構成としているので、各レンズを別個に固定する場合と比較して構成を簡素化することができる。
【００１４】
請求項２の発明では、フレーム本体の前面側に切り欠き部が形成されているので、リム内に装着されたレンズが外部から強い衝撃を受けて外れたとしても、レンズが着用者の顔面側に脱落することを防止できる。
【００１５】
請求項３の発明では、リム内にレンズを挿入した状態で該レンズに形成された欠切部と、溝部に形成された段差部が係合するので、リム内に装着されたレンズをストッパ部材にて固定する前の時点で、レンズが脱落することを防止することができる。
【００１６】
請求項４の発明では、ヒンジ部材を用いてストッパ部材をブリッジに軸支するので、ストッパ部材がフレーム本体から離脱することがなく、該ストッパ部材を紛失する等のトラブルの発生を回避できる。
【００１７】
請求項５の発明では、２つのリムの下側領域に第１の突起、第２の突起を設け、更に、ストッパ部材の前面に第３の突起を設けており、当該作業用眼鏡を平面上に置く場合には、上記の３つの突起が平面に接触して安定するので、レンズに傷や汚れが付くことなく、且つ安定して作業用眼鏡を置くことができる。
【図面の簡単な説明】
【００１８】
【図１】本発明の第１実施形態に係る作業用眼鏡の全体構成を示す斜視図であり、ストッパ部材によりレンズが固定されている状態を示す。
【図２】本発明の第１実施形態に係る作業用眼鏡の全体構成を示す斜視図であり、ストッパ部材が開放されている状態を示す。
【図３】本発明の第１実施形態に係る作業用眼鏡の全体構成を示す斜視図であり、レンズが取り外された状態を示す。
【図４】本発明の第１実施形態に係る作業用眼鏡の説明図であり、フレーム本体が下方を向けて平面上に置かれたときの側面図である
【図５】本発明の第１実施形態に係る作業用眼鏡の説明図であり、フレーム本体が下方を向けて平面上に置かれたときの上面図である
【図６】本発明の第２実施形態に係る作業用眼鏡の全体構成を示す斜視図であり、ストッパ部材によりレンズが固定されている状態を示す。
【図７】本発明の第２実施形態に係る作業用眼鏡の全体構成を示す斜視図であり、ストッパ部材が開放されている状態を示す。
【図８】本発明の第２実施形態に係る作業用眼鏡の全体構成を示す斜視図であり、レンズが取り外された状態を示す。
【図９】本発明の第１実施形態に係る作業用眼鏡のレンズ表面に付着した油滴が下方に落下する様子を示す説明図である。
【図１０】本発明の第１実施形態に係る作業用眼鏡の説明図であり、リムを上下に２分割した場合の説明図である。
【図１１】従来におけるレンズ交換式眼鏡の構成を示す説明図である。
【発明を実施するための形態】
【００１９】
以下、本発明の実施形態を図面に基づいて説明する。
【００２０】
［第１実施形態］
図１〜図３は、本発明の第１実施形態に係る作業用眼鏡２０の構成を示す斜視図であり、図１はリム１１内にレンズ１３を装着した状態、図２はストッパ部材１２を開放した状態、図３はリム１１からレンズ１３を外した状態を示している。
【００２１】
各図に示すように、この作業用眼鏡２０は、２つのリム１１を備えており各リム１１は、ブリッジ１６（図２，図３参照）により連結されている。ここで、２つのリム１１及びブリッジ１６により、本発明に係る作業用眼鏡のフレーム本体が構成される。更に、各リム１１の外側端部にはテンプル１５（「つる」とも言う）が蝶番１４により取り付けられている。
【００２２】
テンプル１５は、作業者が作業用眼鏡２０を装着する際に、自身の耳に引っ掛けるためのものであり、蝶番１４によりリム１１に対して回動させて折り畳むことができる。
【００２３】
また、図３に示すように、リム１１内周面の上側領域Ｐ１、下側領域Ｐ２、及び外側領域Ｐ３には、レンズ１３を装着するための溝部１８が形成され、リム１１内周面の内側領域Ｐ４はその前面側（作業者の顔面の反対側）が開放されている。即ち、リム１１の内側領域Ｐ４は、前面側が切り欠かれており、この領域（切り欠き部）には溝部１８は形成されていない。そして、この開放された領域よりレンズの着脱が行われるようになっている。
【００２４】
更に、各リム１１に形成された溝部１８の下側領域Ｐ２、及び上側領域Ｐ１の中央側端部には、それぞれ段差部１８ａ（図１，図３参照）が形成されている。また、各リム１１内に装着するプラスチック製、またはガラス製のレンズ１３の、下辺部及び上辺部には、それぞれ欠切部１３ａ，１３ｂが形成されており（図３参照）、レンズ１３をリム１１内に装着した場合に、この欠切部１３ａ，１３ｂが溝部１８に形成された段差部１８ａと係合して、レンズ１３のリム１１内からの脱落を防止している。なお、欠切部１３ａ、１３ｂと段差部１８ａは設けない構成であっても構わない。
【００２５】
一方、図２，図３に示すように、２つのリム１１を連結するためのブリッジ１６には、断面がフック形状をなすストッパ部材１２が設けられ、該ストッパ部材１２は、ヒンジ１７（ヒンジ部材）によりブリッジ１６の下方側に回転可能に軸支されている。従って、ストッパ部材１２は、ヒンジ１７を回転軸として上方向及び下方向に回転動が可能となっており、図２に示すように、ストッパ部材１２を下方向に回動させると、ストッパ部材１２は、リム１１の内側領域Ｐ４に対して干渉せず、従って、レンズ１３の着脱操作が可能となる。また、ストッパ部材１２を上方に回転させると、ストッパ部材１２の凹部１２ａ（図２参照）がブリッジ１６に嵌合して、該ストッパ部材１２がブリッジ１６に固定されることになる。この際、ストッパ部材１２は、リム１１の内側領域Ｐ４に対して干渉し、レンズ１３の内側辺がストッパ部材１２と接触して該レンズ１３が固定される。
【００２６】
更に、図１に示すように、各リム１１の下側領域Ｐ２は外側から内側にかけて前面側に突出しており、その内側先端部は突起部１１ａ（第１の突起）、及び突起部１１ｂ（第２の突起）とされている。また、ストッパ部材１２の前面側（作業者の顔面に対して反対側）には突起部１２ｃ（第３の突起）が形成されている。そして、後述するように各突起部１１ａ，１１ｂ，１２ｃにより、作業用眼鏡２０を安定して作業台等に置くことができる。
【００２７】
次に、上述のように構成された第１実施形態に係る作業用眼鏡２０において、レンズ１３を着脱する手順について説明する。
【００２８】
まず、図３に示すように、レンズ１３が未装着のリム１１に対して、レンズ１３を装着する。この操作では、リム１１の内側領域Ｐ４側からレンズ１３の上辺部、下辺部がリム１１に形成された溝部１８に沿うように徐々に摺動させながら装着する。この際、レンズ１３と溝部１８との間における摺動摩擦は小さく、作業者は強い力を加えること無く容易にレンズ１３をリム１１内に装着することができる。
【００２９】
そして、レンズ１３がリム１１内に装着されると、丁度、溝部１８の段差部１８ａとレンズ１３に形成された欠切部１３ａ，１３ｂが係合し、レンズ１３がリム１１内に固定される。この状態では、レンズ１３はリム１１に対して若干ガタが生じているが、欠切部１３ａ，１３ｂと段差部１８ａとの係合により、レンズ１３がリム１１内から脱落することが阻止される。つまり、この状態で作業用眼鏡２０を上下、或いは左右に傾けたとしても、レンズ１３はリム１１内から脱落しない。
【００３０】
その後、ストッパ部材１２をヒンジ１７を軸として回転させ、図２に示す先端部１２ｂを若干弾性変形させてブリッジ１６を超えると、ストッパ部材１２の凹部１２ａがブリッジ１６と嵌合して、ストッパ部材１２がブリッジ１６に固定される（図１参照）。この状態でストッパ部材１２は、各リム１１の内側領域Ｐ４と干渉して、各リム１１内に装着されたレンズ１３を堅固に固定するので、レンズ１３の脱落を防止できる。
【００３１】
また、レンズ１３を取り外す場合には、上記と反対の操作を行えば良い。即ち、ストッパ部材１２がブリッジ１６に係合してレンズ１３が固定された状態（図１の状態）から、ストッパ部材１２を前方に回転させると、該ストッパ部材１２によるリム１１の内側領域Ｐ４の干渉が解除される（図２の状態）。
【００３２】
ストッパ部材１２をさらに回転させて図３に示すような位置までもってくると、レンズ１３をフレーム本体の内側にスライドさせることにより、該レンズ１３をリム１１から容易に取り外すことができ、新たなレンズと交換することができる。
【００３３】
このようにして、第１実施形態に係る作業用眼鏡２０は、各リム１１の内側領域Ｐ４を切り欠き部として、この内側領域Ｐ４からレンズ１３をリム１１内に挿入する構成とし、更に、ストッパ部材１２をブリッジ１６に嵌合させることによりリム１１内に装着したレンズ１３を堅固に固定することができる。
【００３４】
また、従来のように、溝部１８とレンズ１３との間の摩擦力によりレンズ１３をリム１１に固定する構成としていないので、レンズ１３を溝部１８に沿ってスライドさせる際には強い力が不要となり、レンズ１３に傷を付けたり、或いはリム１１に無理な力を加えて変形、損傷するというトラブルの発生を軽減できる。また、レンズ１３の一端を把持するだけでリム１１内に挿入できるので、新品レンズ（特にレンズの中央部）を手で汚すことなく挿入することができる。
【００３５】
このとき、リム１１の中央部分（例えば、ブリッジ１６の下部）を図１１に示すように上下に２分割すると、レンズ１１を交換することが更に容易になる。図１１において、上部リム１１ｃを上方（矢印Ａの方向）へ引っ張り、下部リム１１ｄを下方（矢印Ｂの方向）に引っ張ることで、上部リム１１ｃと下部リム１１ｄとが互いに離れるようにリム１１を弾性変形させれば、リム１１が上下に開くので、リム１１内へのレンズ１３の出し入れがよりスムーズになる。
【００３６】
また、レンズ１３を挿入した状態で、該レンズ１３に形成された欠切部１３ａ、１３ｂと、溝部１８に形成された段差部１８ａが係合するので、ストッパ部材１２にて固定する前の時点で、レンズ１３が脱落することを防止できる。
【００３７】
更に、１つのストッパ部材１２により２枚のレンズ１３を固定する構成としているので、各レンズ１３を別個に固定する場合と比較して構成を簡素化することができる。また、ストッパ部材１２は、ヒンジ１７によりブリッジ１６に軸支される構成としているので、ストッパ部材１２がフレーム本体から離脱することがなく、ストッパ部材１２を紛失する等のトラブルの発生を回避できる。なお、ストッパ部材１２は、ヒンジ１７によりブリッジ１６に軸支される構成でなくとも、ストッパ部材１２が回転可能に支持される構成となっていれば構わない。
【００３８】
また、リム１１内周面の内側領域Ｐ４の前面側が開放されて、レンズ１３を挿入する構成としているので、外部から強い衝撃を受けてリム１１に装着されたレンズ１３が外れたとしても、レンズが着用者の顔面側に脱落することや、作業者に違和感を与えることを防止できる。
【００３９】
更に、図１に示したように、リム１１の下側領域Ｐ２に突起部１１ａ，１１ｂを形成し、且つ、ストッパ部材１２に突起部１２ｃを形成しているので、この作業用眼鏡２０の前面を下側として作業台などの平面上に置く場合には、各突起部１１ａ，１１ｂ，１２ｃの３点が平面と接触して安定し、レンズ１３に傷や汚れがつくことなく、且つ安定した状態で作業台等に置くことができる。即ち、図４は第１実施形態に係る作業用眼鏡２０の前面側を下方として平面Ｆ上に置いたときの側面図、図５は同上面図であり、図４、図５に示すように、各突起部１１ａ，１１ｂ，１２ｃの３点のみが平面Ｆに接触するので、レンズ１３と平面Ｆが接触することなく、且つ安定して作業用眼鏡２０を平面Ｆ上に置くことができる。
【００４０】
また、図９に示すように、各リム１１の下側領域Ｐ２が前面側に沿って突出するとともにその前面１１２が前方（顔面から離れる方向）へ下降傾斜した構成とされているので、例えば作業用眼鏡２０を作業者が着用していて、レンズ１３の表面に油滴（または塵埃）１１０が付着して下方に垂れ落ちる場合に、この油滴１１０がこの突出部分１１１に落ちて前方に向けて流下するので、作業者の顔面に直接油滴が垂れ落ちることを防止でき、作業性を向上させることができる。
【００４１】
［第２実施形態］
次に、本発明の第２実施形態に係る作業用眼鏡について説明する。図６〜図８は、本発明の第２実施形態に係る作業用眼鏡４０の構成を示す斜視図であり、図６はリム３１内にレンズ３３を装着した状態、図７はストッパ部材３２を開放した状態、図８はリム３１からレンズ３３を外した状態を示している。
【００４２】
各図に示すように、この作業用眼鏡４０は、２つのリム３１を備えており各リム３１は、ブリッジ３６により連結されている。ここで、２つのリム３１及びブリッジ３６により、本発明に係る作業用眼鏡のフレーム本体が構成される。更に、各リム３１の外側端部にはテンプル３５が蝶番３４により取り付けられている。テンプル３５は、作業者が作業用眼鏡４０を装着する際に、自身の耳に引っ掛けるためのものであり、蝶番３４によりリム３１に対して回動させて折り畳むことができる。
【００４３】
また、図８に示すように、リム３１内周面の内側領域Ｐ１１を除く領域には、レンズ３３を装着するための溝部３８が形成され、リム３１内周面の内側領域Ｐ１１はその前面側（作業者の顔面の反対側）が開放されている。即ち、リム３１の内側領域Ｐ１１は、リム３１の前面側が切り欠かれており、この領域（切り欠き部）には溝部３８は形成されていない。そして、この開放された内側領域Ｐ１１よりレンズ３３の着脱が行われるようになっている。
【００４４】
一方、ブリッジ３６にはストッパ部材３２の揺動を支持するための支持部材５１が設けられ、該支持部材５１には、操作部材３７が回動可能に軸支されている。即ち、操作部材３７の軸部３７ａが支持部材５１に軸支されることにより、操作部材３７を上下に回動させることができる。
【００４５】
また、操作部材３７は、リンク機構（詳細説明は省略）によりストッパ部材３２に結合されており、操作部材３７の上下動に連動して、ストッパ部材３２が回動する。即ち、操作部材３７を下方に回動させると、これに連動してストッパ部材３２が上方に回転し（図７の状態）、作業者が操作部材３７を上方に回動させて、所定のデッドポイントを通過するとストッパ部材３２が下方に回転する（図６の状態）。
【００４６】
次に、上述のように構成された第２実施形態に係る作業用眼鏡４０において、レンズ３３を着脱する手順について説明する。
【００４７】
図８に示すように、レンズ３３が未装着の場合には、操作部材３７は下方に倒されており、これに連動して作動するストッパ部材３２は上方に持ち上げられている。従って、該ストッパ部材３２は、各リム３１の内側領域Ｐ１１に干渉しない。
【００４８】
この状態で、作業者は図８に示すように、レンズ３３が未装着のリム３１に対して、レンズ３３を装着する。この操作では、リム３１の内側領域Ｐ１１側から、レンズ３３の上辺部及び下辺部がリム３１に形成された溝部３８に沿うように徐々に摺動させながら装着する。この際、レンズ３３と溝部１８との間における摺動摩擦は小さく、作業者は強い力を加えること無く容易にレンズ３３をリム３１内に装着することができる。
【００４９】
そして、レンズ３３の装着が終了した後、操作部材３７を上方に回動させ、所定のデッドポイントを超えると、図６に示すように該操作部材３７が直立する状態となり、更にこれと連動してストッパ部材３２は下方に回動し、各リム３１の内側領域Ｐ１１に干渉するので、各リム３１内に装着された各レンズ３３がストッパ部材３２により堅固に固定される。従って、リム３１内からレンズ３３が脱落することを防止できる。
【００５０】
一方、リム３１からレンズ３３を取り外す場合には、上記と反対の操作を行えば良い。即ち、操作部材３７を下方に回動させ、デッドポイントを超えると、これに連動してストッパ部材３２が上方に回動し、リム３１の内側領域Ｐ４を開放する。この状態でレンズ３３をフレーム本体の内側にスライドさせることにより、該レンズ３３をリム３１から容易に取り外すことができ、新たなレンズと交換することができる。
【００５１】
このようにして、第２実施形態に係る作業用眼鏡４０においても、前述した第１実施形態に係る作業用眼鏡２０と同様に、各リム３１の内側領域Ｐ１１を開放することにより、この内側領域Ｐ１１からレンズ３３をリム１１内に挿入する構成としている。そして、ストッパ部材３２を下方に回動させて、該ストッパ部材３２を内側領域Ｐ１１に干渉させるので、リム３１内に装着したレンズ３３を堅固に固定することができる。
【００５２】
また、レンズ３３をリム３１の内周面に形成された溝部３８に沿ってスライドさせる際には強い力を必要としないので、レンズ３３の着脱時に該レンズ３３に傷を付けたり、或いはリム３１に無理な力を加えて変形、損傷するというトラブルの発生を低減できる。
【００５３】
更に、１つのストッパ部材３２により２枚のレンズ３３を固定する構成としているので、各レンズ３３を別個に固定する場合と比較して構成を簡素化することができる。また、ストッパ部材３２は、支持部材５１に軸支されて上下方向に揺動する構成としているので、ストッパ部材３２がフレーム本体から離脱することがなく、該ストッパ部材３２を紛失するなどのトラブルの発生を回避できる。
【００５４】
以上、本発明の作業用眼鏡を図示の実施形態に基づいて説明したが、本発明はこれに限定されるものではなく、各部の構成は、同様の機能を有する任意の構成のものに置き換えることができる。
【産業上の利用可能性】
【００５５】
本発明は、簡単な操作でフレーム本体に取り付けられたレンズを交換する場合に極めて有用である。
【符号の説明】
【００５６】
１１  リム
１１ａ，１１ｂ  突起部
１１ｃ  上側リム
１１ｄ  下側リム
１２  ストッパ部材
１２ａ  凹部
１２ｂ  先端部
１２ｃ  突起部
１３  レンズ
１３ａ，１３ｂ  欠切部
１４  蝶番
１５  テンプル
１６  ブリッジ
１７  ヒンジ
１８  溝部
２０  作業用眼鏡
３１  リム
３２  ストッパ部材
３３  レンズ
３４  蝶番
３５  テンプル
３６  ブリッジ
３７  操作部材
３８  溝部
４０  作業用眼鏡
１０１  リム
１０２  溝部
１０３  レンズ
１０４  係合突起
１０５  切り欠き
１１０  油滴
１１１  突出部分
Ｐ１  上側領域
Ｐ２  下側領域
Ｐ３  外側領域
Ｐ４，Ｐ１１  内側領域（切り欠き部）
【図１】
2011186207.tif 000003
【図２】
2011186207.tif 000004
【図３】
2011186207.tif 000005
【図４】
2011186207.tif 000006
【図５】
2011186207.tif 000007
【図６】
2011186207.tif 000008
【図７】
2011186207.tif 000009
【図８】
2011186207.tif 000010
【図９】
2011186207.tif 000011
【図１０】
2011186207.tif 000012
【図１１】
2011186207.tif 000013